(57)【要約】【課題】  ＬＥＤ照明ユニットをより容易に再接続することが可能なＬＥＤ照明装置を提供すること。【解決手段】  ｘ向に配列された複数のＬＥＤ２２を含む光源部２と、光源部２を支持するケース１と、を各々が有する複数のＬＥＤ照明ユニットＢ１と、複数のＬＥＤ照明ユニットＢ１を相互に接続するケーブル３Ａ，３Ｂとを備え、ＬＥＤ照明ユニットＢ１のケース１は、ｚ方向一方側に突出する凸部１１２、ｚ方向において凸部１１２と光源部２との間において凸１１２部からｘ方向両側に延出する延出部１１１および凸部１１２をｘ方向に貫通するケーブル孔１１３を有する基部１１を含み、ケーブル３Ａ，３Ｂは、ケーブル孔１１３に挿通されて凸部１１２からｘ方向両側に延びている。【選択図】  図３
2019121440.tif 000002
【特許請求の範囲】
【請求項１】
第１方向に配列された複数のＬＥＤを含む光源部と、前記光源部を支持するケースと、を各々が有する複数のＬＥＤ照明ユニットと、
前記複数のＬＥＤ照明ユニットを相互に接続するケーブルと、を備え、
前記ＬＥＤ照明ユニットの前記ケースは、前記第１方向と直角である第２方向一方側に突出する凸部、前記第２方向において前記凸部と前記光源部との間において前記凸部から前記第１方向両側に延出する延出部および前記凸部を前記第１方向に貫通するケーブル孔を有する基部を含み、
前記ケーブルは、前記ケーブル孔に挿通されて前記凸部から前記第１方向両側に延びている、ＬＥＤ照明装置。
【請求項２】
前記延出部には、前記ケーブルを沿わせるための前記第１方向に長く延びるケーブル溝が形成されている、請求項１に記載のＬＥＤ照明装置。
【請求項３】
前記ＬＥＤ照明ユニットは、外部の磁性体に固定するための磁力部材を有する、請求項１または２に記載のＬＥＤ照明装置。
【請求項４】
前記ＬＥＤ照明ユニットは、前記ケースに支持され且つ前記光源部からの光を透過させるカバーを有する、請求項１ないし３に記載のＬＥＤ照明装置。
【請求項５】
前記カバーは、レンズ部を有する、請求項４に記載のＬＥＤ照明装置。
【請求項６】
前記ＬＥＤ照明ユニットは、前記ケースと前記カバーとの境界の少なくとも一部を内側から塞ぐ封止部材を有する、請求項４または５に記載のＬＥＤ照明装置。
【請求項７】
前記複数のＬＥＤ照明ユニットを保持する外ケースをさらに備える、請求項１ないし６のいずれかに記載のＬＥＤ照明装置。
【請求項８】
前記外ケースに支持され且つ前記光源部からの光を透過させる外カバーを備える、請求項７に記載のＬＥＤ照明装置。
【発明の詳細な説明】
【技術分野】
【０００１】
本発明は、ＬＥＤ照明装置に関する。
【背景技術】
【０００２】
ＬＥＤを光源として有するＬＥＤ照明装置の一例として、特許文献１には、各々が複数のＬＥＤを有する複数のＬＥＤ照明ユニットを備えるＬＥＤ照明装置が開示されている。同文献に開示されたＬＥＤ照明装置は、隣り合うＬＥＤ照明ユニット同士が、ケーブルによって接続されている。このＬＥＤ照明装置は、複数のＬＥＤ照明ユニットが点灯することにより、様々な形状および長さの光の帯を現出させるものとして使用される。
【先行技術文献】
【特許文献】
【０００３】
【特許文献１】大韓民国公開特許第１０−２０１０−０１２７８９５号公報
【発明の概要】
【発明が解決しようとする課題】
【０００４】
ＬＥＤ照明装置の設置において、あるＬＥＤ照明ユニットＢ１を他のＬＥＤ照明ユニットＢ１に取り替える場合がある。この取り替えは、ケーブルを切断することにより行う。当該ＬＥＤ照明ユニットにおいては、ケースの長手方向両端からケーブルが延出している。仮に、一方のＬＥＤ照明ユニットのケースの端部に近い位置でケーブルを切断したとしても、他方のＬＥＤ照明ユニットに残存するケーブルの露出長さは、隣り合っていたＬＥＤ照明ユニット同士の間隔程度である。連続した外観の光の帯を実現するために隣り合うＬＥＤ照明ユニットが比較的小さい間隔で配置されるほど、ケーブルの露出長さが短くなり、他のＬＥＤ照明ユニットとの再接続が困難となる。
【０００５】
本発明は、上記した事情のもとで考え出されたものであって、ＬＥＤ照明ユニットをより容易に再接続することが可能なＬＥＤ照明装置を提供することをその課題とする。
【課題を解決するための手段】
【０００６】
本発明によって提供されるＬＥＤ照明装置は、第１方向に配列された複数のＬＥＤを含む光源部と、前記光源部を支持するケースと、を各々が有する複数のＬＥＤ照明ユニットと、前記複数のＬＥＤ照明ユニットを相互に接続するケーブルと、を備え、前記ＬＥＤ照明ユニットの前記ケースは、前記第１方向と直角である第２方向一方側に突出する凸部、前記第２方向において前記凸部と前記光源部との間において前記凸部から前記第１方向両側に延出する延出部および前記凸部を前記第１方向に貫通するケーブル孔を有する基部を含み、前記ケーブルは、前記ケーブル孔に挿通されて前記凸部から前記第１方向両側に延びている。
【０００７】
本発明の好ましい実施の形態においては、前記延出部には、前記ケーブルを沿わせるための前記第１方向に長く延びるケーブル溝が形成されている。
【０００８】
本発明の好ましい実施の形態においては、前記ＬＥＤ照明ユニットは、外部の磁性体に固定するための磁力部材を有する。
【０００９】
本発明の好ましい実施の形態においては、前記ＬＥＤ照明ユニットは、前記ケースに支持され且つ前記光源部からの光を透過させるカバーを有する。
【００１０】
本発明の好ましい実施の形態においては、前記カバーは、レンズ部を有する。
【００１１】
本発明の好ましい実施の形態においては、前記ＬＥＤ照明ユニットは、前記ケースと前記カバーとの境界の少なくとも一部を内側から塞ぐ封止部材を有する。
【００１２】
本発明の好ましい実施の形態においては、前記複数のＬＥＤ照明ユニットを保持する外ケースをさらに備える。
【００１３】
本発明の好ましい実施の形態においては、前記外ケースに支持され且つ前記光源部からの光を透過させる外カバーを備える。
【発明の効果】
【００１４】
本発明によれば、ＬＥＤ照明ユニットをより容易に接続することができる。
【００１５】
本発明のその他の特徴および利点は、添付図面を参照して以下に行う詳細な説明によって、より明らかとなろう。
【図面の簡単な説明】
【００１６】
【図１】本発明の第１実施形態に係るＬＥＤ照明装置を示す斜視図である。
【図２】本発明の第１実施形態に係るＬＥＤ照明装置を示す要部斜視図である。
【図３】本発明の第１実施形態に係るＬＥＤ照明装置を示す要部斜視図である。
【図４】本発明の第１実施形態に係るＬＥＤ照明装置を示す平面図である。
【図５】本発明の第１実施形態に係るＬＥＤ照明装置を示す要部平面図である。
【図６】本発明の第１実施形態に係るＬＥＤ照明装置を示す正面図である。
【図７】本発明の第１実施形態に係るＬＥＤ照明装置を示す底面図である。
【図８】本発明の第１実施形態に係るＬＥＤ照明装置を示す側面図である。
【図９】図４のＩＸ−ＩＸ線に沿う要部断面図である。
【図１０】図４のＸ−Ｘ線に沿う要部断面図である。
【図１１】図９のＸＩ−ＸＩ線に沿う断面図である。
【図１２】図９のＸＩＩ−ＸＩＩ線に沿う断面図である。
【図１３】図４のＸＩＩＩ−ＸＩＩＩ線に沿う要部拡大断面図である。
【図１４】本発明の第１実施形態に係るＬＥＤ照明装置のＬＥＤ照明ユニットを示す分解斜視図である。
【図１５】本発明の第１実施形態に係るＬＥＤ照明装置の使用例を示す断面図である。
【図１６】本発明の第１実施形態に係るＬＥＤ照明装置の使用例を示す断面図である。
【図１７】（ａ），（ｂ）は、カバーの変形例を示す要部拡大断面図である。
【図１８】本発明の第２実施形態に係るＬＥＤ照明装置を示す斜視図である。
【図１９】本発明の第２実施形態に係るＬＥＤ照明装置を示す要部斜視図である。
【図２０】本発明の第２実施形態に係るＬＥＤ照明装置を示す平面図である。
【図２１】本発明の第３実施形態に係るＬＥＤ照明装置を示す斜視図である。
【図２２】図２１のＸＸＩＩ−ＸＸＩＩ線に沿う断面図である。
【図２３】本発明の第４実施形態に係るＬＥＤ照明装置を示す斜視図である。
【図２４】図２３のＸＸＩＶ−ＸＸＩＶ線に沿う断面図である。
【図２５】本発明の第４実施形態に係るＬＥＤ照明装置の変形例を示す断面図である。
【図２６】本発明の第５実施形態に係るＬＥＤ照明装置のＬＥＤ照明ユニットを示す分解斜視図である。
【図２７】本発明の第５実施形態に係るＬＥＤ照明装置を示す断面図である。
【発明を実施するための形態】
【００１７】
以下、本発明の好ましい実施の形態につき、図面を参照して具体的に説明する。
【００１８】
＜第１実施形態＞
図１〜図１６は、本発明の第１実施形態に係るＬＥＤ照明装置を示している。本実施形態のＬＥＤ照明装置Ａ１は、複数のＬＥＤ照明ユニットＢ１および一対のケーブル３Ａ，３Ｂを備えている。複数のＬＥＤ照明ユニットＢ１の個数は、特に限定されない。ＬＥＤ照明装置Ａ１は、複数のＬＥＤ照明ユニットＢ１が一対のケーブル３Ａ，３Ｂを介して互いに接続されており、様々な形態で発光し得る。以降の説明においては、２つのＬＥＤ照明ユニットＢ１を備えるＬＥＤ照明装置Ａ１を例として説明する。
【００１９】
図１は、ＬＥＤ照明装置Ａ１を示す斜視図である。図２は、ＬＥＤ照明装置Ａ１を示す要部斜視図である。図３は、ＬＥＤ照明装置Ａ１を示す要部斜視図である。図４は、ＬＥＤ照明装置Ａ１を示す平面図である。図５は、ＬＥＤ照明装置Ａ１を示す要部平面図である。図６は、ＬＥＤ照明装置Ａ１を示す正面図である。図７は、ＬＥＤ照明装置Ａ１を示す底面図である。図８は、ＬＥＤ照明装置Ａ１を示す側面図である。図９は、図４のＩＸ−ＩＸ線に沿う要部断面図である。図１０は、図４のＸ−Ｘ線に沿う要部断面図である。図１１は、図９のＸＩ−ＸＩ線に沿う断面図である。図１２は、図９のＸＩＩ−ＸＩＩ線に沿う断面図である。図１３は、図４のＸＩＩＩ−ＸＩＩＩ線に沿う要部拡大断面図である。図１４は、ＬＥＤ照明装置Ａ１のＬＥＤ照明ユニットＢ１を示す分解斜視図である。図１５は、ＬＥＤ照明装置Ａ１の使用例を示す断面図である。図１６は、ＬＥＤ照明装置Ａ１の使用例を示す断面図である。これらの図において、ｘ方向は第１方向に相当し、ｚ方向は第２方向に相当する。ｘ方向、ｙ方向およびｚ方向は、個々のＬＥＤ照明ユニットＢ１の向きに依存する。
【００２０】
〔ＬＥＤ照明ユニットＢ１〕
ＬＥＤ照明ユニットＢ１は、ケース１、光源部２およびカバー４を有する。
【００２１】
〔ケース１〕
ケース１は、光源部２を収容するものであり、ｘ方向に長く延びている。ケース１は、たとえば樹脂からなる。本実施形態においては、ケース１は、基部１１、一対の側板部１２および一対の端板部１３を有する。ケース１は、ｚ方向一方側（図２および図９〜図１２の図中上側）に開口している。
【００２２】
基部１１は、ケース１のうちｚ方向一方側に位置する部位であり、本実施形態においては、ケース１の開口とｚ方向における反対側に位置している。基部１１は、延出部１１１、凸部１１２、ケーブル孔１１３およびケーブル溝１１４を有する。
【００２３】
凸部１１２は、ｚ方向一方側（図３、図６、図８〜図１２の図中下側）に突出している。凸部１１２の形状は、特に限定されず、図示された例においては、略直方体形状とされている。また、凸部１１２の個数は、特に限定されず、図示された例においては、ケース１の基部１１のｘ方向中央を挟んで２つの凸部１１２が設けられている。本例とは異なり、１つの凸部１１２が設けられた構成であってもよい。
【００２４】
延出部１１１は、ｚ方向において凸部１１２と光源部２との間において、凸部１１２からｘ方向両側に延出する部分を有する部位である。図示された例においては、延出部１１１は、凸部１１２に対してｚ方向他方側（図３、図６、図８〜図１２の図中上側）に設けられた、ｘ方向を長手方向とし、ｙ方向を幅方向とし、ｚ方向を厚さ方向とする長矩形板状の部位である。図示された例においては、延出部１１１が凸部１１２からｘ方向両側に延出する長さは、等しいが、ｘ方向一方側に相対的に長く延出し、ｘ方向他方側に相対的に短く延出する構成であってもよい。
【００２５】
ケーブル孔１１３は、凸部１１２をｘ方向に貫通しており、一対のケーブル３Ａ，３Ｂの少なくともいずれかを挿通させるためのものである。図示された例においては、１つの凸部１１２に一対のケーブル孔１１３が形成されている。一対のケーブル孔１１３は、互いに平行である。また、２つのケーブル孔１１３に形成された一対のケーブル孔１１３同士は、ｘ方向視において互いに一致している。
【００２６】
ケーブル溝１１４は、延出部１１１の一部がｚ方向に凹んだ溝状部分であり、ｘ方向に長く延びている。ケーブル溝１１４は、一対のケーブル３Ａ，３Ｂの少なくともいずれかを沿わせるためのものである。図示された例においては、２つの凸部１１２を挟んで、ｘ方向両側に一対ずつのケーブル溝１１４が形成されている。一対のケーブル溝１１４は、互いに平行である。また、図示された例においては、一対ずつのケーブル溝１１４と一対ずつのケーブル孔１１３とは、ｘ方向視において互いに一致している。
【００２７】
一対の側板部１２は、図１、図２、図３、図６、図８、図１０、図１１および図１２に示すように、基部１１の延出部１１１のｙ方向両端に繋がっている。側板部１２は、ｘ方向を長手方向とし、ｚ方向を幅方向とし、ｙ方向を厚さ方向とする長矩形板状である。側板部１２は、溝部１２１および溝部１２２を有する。溝部１２１は、側板部１２のｙ方向外側に設けられており、ｙ方向内側に凹んでいる。溝部１２１は、側板部１２のｘ方向全長にわたって形成されている。溝部１２１の形状は特に限定されず、図示された例においては、ｘ方向視において平行四辺形状である。溝部１２２は、側板部１２のｚ方向上端に設けられており、ｚ方向下方に凹んでいる。溝部１２２は、側板部１２のｘ方向全長にわたって設けられていてもよいし、後述のカバー４の構成に応じて、側板部１２のｘ方向における一部に設けられていてもよい。
【００２８】
一対の端板部１３は、図１、図２、図３、図５、図８〜図１０および図１４に示すように、基部１１および側板部１２のｘ方向両端に繋がっている。端板部１３は、ｘ方向を厚さ方向とする矩形板状である。
【００２９】
〔光源部２〕
光源部２は、ＬＥＤ照明装置Ａ１から発する光を生じさせるためのものである。本実施形態においては、光源部２は、ケース１に収容されている。図２、図５、図９〜図１２および図１４に示すように、光源部２は、基板２１、複数のＬＥＤ２２および複数の電子部品２３を有する。
【００３０】
基板２１は、複数のＬＥＤ２２を支持し、複数のＬＥＤ２２への導通経路を構成するものである。基板２１は、たとえばエポキシ樹脂からなる基材と、この基材上に形成された配線パターン（図示略）とからなる。本実施形態においては、基板２１は、ｘ方向を長手方向とし、ｙ方向を幅方向とし、ｚ方向を厚さ方向とする長矩形板状である。基板２１は、主面２１１を有する。主面２１１は、ｚ方向一方側（図中上側）を向く面である。
【００３１】
基板２１は、貫通孔２１３を有する。貫通孔２１３は、基板２１の前記基材をｚ方向に貫通しており、基板２１（光源部２）をケース１に固定するために用いられる。図示された例においては、基板２１は、ｘ方向に互いに離間した２つの貫通孔２１３を有する。また、前記配線パターンは、端子部（図示略）端子部を有する。この端子部は、光源部２外から電力供給を受けるための部位である。図示された例においては、基板２１は、２つの貫通孔２１３に隣接する２つの端子部を有する。
【００３２】
複数のＬＥＤ２２は、通電されることによって発光する発光体であり、ｘ方向に配列されている。図示された例においては、光源部２は、３つのＬＥＤ２２を有しているが、ＬＥＤ２２の個数は特に限定されない。また、複数のＬＥＤ２２は、ｘ方向に複数列に配置されていてもよい。図示された例においては、複数のＬＥＤ２２は、一定のピッチＰで配列されている。また、図４に示すように、本実施形態においては、隣り合うＬＥＤ照明ユニットＢ１が互いに一直線をなす状態において、最も近いＬＥＤ２２同士の距離は、ピッチＰ’である。ピッチＰ’は、ピッチＰと同じか近い値であることが好ましい。
【００３３】
ＬＥＤ２２は、ＬＥＤチップ（図示略）を含む。ＬＥＤ２２は、ＬＥＤチップ単体からなるものでも、ＬＥＤチップ以外の構成要素を含むものであってもよい。ＬＥＤ２２の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２２は、白色光を発する構成とすることができる。
【００３４】
複数の電子部品２３は、複数のＬＥＤ２２への電力供給が適切になされるために機能する。複数の電子部品２３は、基板２１の主面２１１に搭載されており、たとえばチップ抵抗器、ダイオード等である。
【００３５】
〔カバー４〕
カバー４は、ケース１に支持されており、光源部２を覆っている。カバー４は、光源部２からの光を透過させる材料からなり、たとえば透明な樹脂からなる。なお、カバー４は、光源部２からの光を拡散させつつ透過させる材料からなるものであってもよい。図示された例においては、カバー４は、透明な材料からなる。図１、図４、図６、図９〜図１４に示すように、カバー４は、天板部４１、一対の端板部４２および複数の突起４３を有する。
【００３６】
天板部４１は、光源部２に対してｚ方向他方側に位置する部位であり、ｘ方向を長手方向とし、ｙ方向を幅方向とし、ｚ方向を厚さ方向とする、長矩形板状である。図示された例においては、天板部４１は、複数のレンズ部４１１を有する。複数のレンズ部４１１は、ｘ方向に互いに離間して配置されており、ｚ方向視において複数のＬＥＤ２２に重なっている。すなわち、図示された例においては、複数のレンズ部４１１の個数は３つであり、ピッチＰで配列されている。図１４に示すように、図示された例においては、レンズ部４１１は、凸レンズによって構成されている。
【００３７】
一対の端板部４２は、ｘ方向に互いに離間して配置されており、天板部４１のｘ方向両端付近に設けられている。図９および図１０に示すように、一対の端板部４２は、ケース１の一対の端板部１３のｘ方向内側に位置する。端板部４２は、天板部４１のｚ方向図中下面から延出している。
【００３８】
複数の突起４３は、天板部４１のｚ方向図中下面から突出しており、天板部４１のｙ方向両端縁付近に形成されている。図１１および図１２に示すように、複数の突起４３は、ケース１の一対の側板部１２の溝部１２２に嵌まり込んでいる。これにより、カバー４のケース１に対する位置が規定される。
【００３９】
〔ケーブル３Ａ，３Ｂ〕
一対のケーブル３Ａ，３Ｂは、たとえば図外の電源部から、光源部２を発光させるための電力を供給する経路である。本実施形態においては、一対のケーブル３Ａ，３Ｂは、複数のＬＥＤ照明ユニットＢ１のそれぞれに接続されている。図１〜図１２および図１４に示すように、ケーブル３Ａは、被収容部３１Ａおよび露出部３２Ａを有し、ケーブル３Ｂは、被収容部３１Ｂおよび露出部３２Ｂを有する。ケーブル３Ａおよびケーブル３Ｂは、芯線３３１Ａ、３３１Ｂと被覆３３２Ａ，３３２Ｂとからなる。芯線３３１Ａ，３３１Ｂは、銅等の金属からなる通電部位である。被覆３３２Ａ，３３２Ｂは、たとえば樹脂等の絶縁材料からなり、芯線３３１Ａ，３３１Ｂを覆っている。
【００４０】
被収容部３１Ａおよび被収容部３１Ｂは、ケーブル３Ａおよびケーブル３Ｂのうち、ＬＥＤ照明ユニットＢ１のケース１のケーブル孔１１３に挿通されることにより収容された部位である。図示された例においては、被収容部３１Ａおよび被収容部３１Ｂは、一対のケーブル孔１１３内においてｘ方向に沿って配置されており、互いに平行である。
【００４１】
露出部３２Ａ、露出部３２Ｂは、一対のケーブル３Ａ，３Ｂのうちケース１のケーブル孔１１３の外側に位置し、外部に露出する部位である。本実施形態においては、露出部３２Ａ、露出部３２Ｂは、隣り合うＬＥＤ照明ユニットＢ１の間に位置する部分と、ケース１のケーブル溝１１４に沿う部分とを有している。
【００４２】
図１４に示すように、ＬＥＤ照明装置Ａ１の組立においては、ケース１のｘ方向方側からケース１の一対のケーブル孔１１３に一対のケーブル３Ａ，３Ｂが挿通される。この挿通された部分が、被収容部３１Ａおよび被収容部３１Ｂとなる。また、ケース１の成形時にケーブル３Ａ，３Ｂをインサート成形により一体的に形成してもよい。次いで、２つのネジ２９によって基板２１（光源部２）がケース１に取り付けられる。この際、図１２から理解されるように、ケース１に収容された被収容部３１Ａおよび被収容部３１Ｂに２つのネジ２９の先端が押し込まれる。
【００４３】
図１２に示す被収容部３１Ａを例にとると、ネジ２９が被収容部３１Ａの被覆３３２Ａを突き破るようにｚ方向下方へと進行する。そして、ネジ２９の先端が被収容部３１Ａの芯線３３１Ａに突き刺さる格好となる。これにより、一方のネジ２９と芯線３３１Ａとが導通し、同様に他方のネジ２９と芯線３３１Ｂとが導通する。２つのネジ２９は、たとえばワッシャ２９１を介して上述した基板２１の配線パターンの端子部に導通する。したがって、ケーブル３Ａおよびケーブル３Ｂが基板２１の配線パターンに接続される。
【００４４】
次に、ＬＥＤ照明装置Ａ１の作用について説明する。
【００４５】
本実施形態によれば、図１５に示すように、ケース１は、延出部１１１および凸部１１２を有する基部１１を含む。凸部１１２は、ｚ方向一方側（図中ｚ方向下側）に突出しており、延出部１１１は、凸部１１２に対してｘ方向両側に延出している。一対のケーブル３Ａ，３Ｂは、凸部１１２のケーブル孔１１３に挿通された被収容部３１Ａおよび被収容部３１Ｂと、凸部１１２から露出する露出部３２Ａおよび露出部３２Ｂを有する。すなわち、図中において矢印で例示された露出部３２Ａおよび露出部３２Ｂは、隣り合うＬＥＤ照明ユニットＢ１同士の間に位置する部分と、ケース１の延出部１１１に重なる部分と、を有する。
【００４６】
図示されたＬＥＤ照明装置Ａ１の２つのＬＥＤ照明ユニットＢ１のうち、図中右方のＬＥＤ照明ユニットＢ１を取り外し、他のＬＥＤ照明ユニットＢ１と取り替える使用例を説明する。この場合、図示されたカッタＣｔによってケーブル３Ａおよびケーブル３Ｂを切断する。取り替える方のＬＥＤ照明ユニットＢ１を取り外すと、図１６に示すように、使用を継続するＬＥＤ照明ユニットＢ１には、凸部１１２から延出する露出部３２Ａおよび露出部３２Ｂが残存する。この露出部３２Ａおよび露出部３２Ｂの長さである再接続長Ｌｒは、図１５において隣り合うＬＥＤ照明ユニットＢ１同士の間隔よりも、最大で凸部１１２から延出する延出部１１１の長さ分だけ長くなる。これにより、新たなＬＥＤ照明ユニットＢ１との再接続をより容易に行うことができる。
【００４７】
また、本実施形態においては、延出部１１１には、ケーブル溝１１４が形成されている。露出部３２Ａおよび露出部３２Ｂをケーブル溝１１４に沿わせることにより、基部１１によって完全に覆われていない部分である露出部３２Ａおよび露出部３２Ｂを、よりｘ方向に沿った姿勢で維持することが可能である。これは、ＬＥＤ照明装置Ａ１の外観を美麗に保つのに好ましい。
【００４８】
また、本実施形態においては、光源部２に備えられたＬＥＤ２２の個数は３個であり、比較的少数である。このため、ＬＥＤ照明ユニットＢ１のｘ方向長さを比較的短く設定することが可能である。これは、ＬＥＤ照明装置Ａ１を取り付ける箇所の形状等に応じてＬＥＤ照明装置Ａ１をよりフレキシブルに設置するのに適している。図１等では、複数のＬＥＤ照明ユニットＢ１を直線状に配置した例を示しているが、複数のＬＥＤ照明ユニットＢ１の配置はこれに限定されない。たとえば、複数のＬＥＤ照明ユニットＢ１を曲線状に配置してもよい。ＬＥＤ照明ユニットＢ１のｘ方向長さが短いことは、このような曲線状の配置に適している。
【００４９】
カバー４にレンズ部４１１を設けることにより、光源部２のＬＥＤ２２からの光Ｌの指向性を高めることが可能である。これは、ＬＥＤ照明装置Ａ１によってより遠い箇所を照らすのに適している。
【００５０】
図１７〜図２７は、本発明の変形例および他の実施形態を示している。なお、これらの図において、上記実施形態と同一または類似の要素には、上記実施形態と同一の符号を付している。
【００５１】
＜カバー４  変形例＞
図１７（ａ），（ｂ）は、カバー４の変形例を示す要部拡大断面図である。同図（ａ）に示す変形例においては、カバー４の天板部４１に上述した例のレンズ部４１１が形成されていない。このような例は、ＬＥＤ２２の光Ｌの指向性を高める要請が強くない場合に採用される。
【００５２】
同図（ｂ）に示す例においては、カバー４の天板部４１にレンズ部４１２が形成されている。レンズ部４１２は、ｚ方向視においてレンズ部４１１と同じ位置に設けられている。レンズ部４１２は、天板部４１のうちＬＥＤ２２と対向する面に設けられており、凹曲面からなる凹レンズである。このような例は、光Ｌをより広い範囲に向かわせることにより、ＬＥＤ２２の存在感を和らげる要請が強い場合に採用される。また、本例においては、カバー４は、光Ｌを拡散させつつ透過させる材料からなることが好ましく、たとえば乳白色の半透明の樹脂からなる。
【００５３】
＜第２実施形態＞
図１８〜図２０は、本発明の第２実施形態に係るＬＥＤ照明装置を示している。図１８は、本実施形態のＬＥＤ照明装置Ａ２を示す斜視図である。図１９は、ＬＥＤ照明装置Ａ２を示す要部斜視図である。図２０は、ＬＥＤ照明装置Ａ２を示す平面図である。ＬＥＤ照明装置Ａ２においては、ＬＥＤ照明ユニットＢ２の光源部２が有するＬＥＤ２２の個数が、上述した実施形態と異なっている。
【００５４】
本実施形態においては、光源部２は、ｘ方向に配列された６つのＬＥＤ２２を有している。６つのＬＥＤ２２のピッチＰは、上述した実施形態のピッチＰと同じであっても良いし、異なっていてもよい。たとえば、本実施形態のピッチＰをＬＥＤ照明装置Ａ１のピッチＰよりも小さくすれば、ＬＥＤ照明装置Ａ２を点灯させた際に照射対象物における照射むらを抑制することが可能である。これは、ＬＥＤ照明装置Ａ２を照射対象物により近づけつつ、より均一に照らすのに適している。なお、ピッチＰを縮小する方策として、図１９に示すように、光源部２の基板２１の主面２１１に上述した実施形態における電子部品２３を備えない構成としてもよい。この場合、ＬＥＤ２２と電子部品２３とのクリアランス等を設定する必要がないため、ピッチＰをより小さくすることができる。
【００５５】
＜第３実施形態＞
図２１および図２２は、本発明の第３実施形態に係るＬＥＤ照明装置を示している。図２１は、本実施形態のＬＥＤ照明装置Ａ３を示す斜視図である。図２２は、図２１のＸＸＩＩ−ＸＸＩＩ線に沿う断面図である。ＬＥＤ照明装置Ａ３においては、ＬＥＤ照明ユニットＢ３が磁力部材５を備えている。
【００５６】
磁力部材５は、ＬＥＤ照明装置Ａ３を外部の磁性体からなる取付対象に固定するためのものである。磁力部材５は、たとえばフェライト磁石からなる。図示された例においては、磁力部材５は、ケース１の基部１１の凸部１１２に取り付けられている。この取り付けは、たとえば、磁力部材５に形成された複数の凸部５１を、凸部１１２に形成された凹部１１６に嵌め込むことにより行う。また、磁力部材５の取り付けは、この嵌め込みと併せて、あるいはこの嵌め込みに代えて、接着等の手法を採用してもよい。
【００５７】
本実施形態によれば、磁力部材５を有することにより、ネジ等の部材を用いることなく磁性体からなる取付対象にＬＥＤ照明装置Ａ３を容易に取り付けることが可能である。また、使用状態の変更時や使用終了時に、ＬＥＤ照明装置Ａ３と取付対象から容易に取り外すことが可能であるという利点がある。
【００５８】
＜第４実施形態＞
図２３および図２４は、本発明の第４実施形態に係るＬＥＤ照明装置を示している。図２３は、本実施形態のＬＥＤ照明装置Ａ４を示す斜視図である。図２４は、図２３のＸＸＸＩＶ−ＸＸＩＶ線に沿う断面図である。ＬＥＤ照明装置Ａ４は、外ケース７を備えている。
【００５９】
外ケース７は、複数のＬＥＤ照明ユニットＢ１の保持するものである。外ケース７は、ＬＥＤ照明ユニットＢ１のケース１を収容する構成であり、図示された例においては、底板部７１および一対の側板部７２を有する。
【００６０】
底板部７１は、ｘ方向を長手方向とし、ｙ方向を幅方向とし、ｚ方向を厚さ方向とする長矩形板状である。一対の側板部７２は、底板部７１のｙ方向両端に繋がっている。側板部７２は、ｘ方向を長手方向とし、ｚ方向を幅方向とし、ｙ方向を厚さ方向とする長矩形板状である。外ケース７のｘ方向寸法は、２つのＬＥＤ照明ユニットＢ１のｘ方向寸法と略同じである。ただし、外ケース７のｘ方向寸法は、ＬＥＤ照明装置Ａ４に備えられるＬＥＤ照明ユニットＢ１の個数に応じて適宜設定される。
【００６１】
側板部７２には、凸部７２１が形成されている。凸部７２１は、側板部７２のｙ方向内面からｙ方向内側に突出している。図示された例においては、凸部７２１は、ｘ方向に長く延びている。凸部７２１は、ＬＥＤ照明ユニットＢ１のケース１の側板部１２の溝部１２１に収容される。これにより、外ケース７によって、ＬＥＤ照明ユニットＢ１が保持される。
【００６２】
本実施形態によれば、複数のＬＥＤ照明ユニットＢ１を、たとえば互いの長手方向であるｘ方向が一致した状態で保持することが可能である。したがって、ＬＥＤ照明装置Ａ４ほ点灯による光の帯を、より直線状とすることができる。また、隣り合うＬＥＤ照明装置Ａ１のＬＥＤ２２のピッチＰ’を、ピッチＰと同じ大きさ等の所望の大きさに設定するのに適している。
【００６３】
なお、図２４において、外ケース７は、一対の側板部７２が底板部７１に対して、ｙ方向外方へ弾性変形可能な材質で構成してもよい。この結果、図示しないが、一対の側板部７２の上面をそれぞれ左右の指で下方へ押圧することにより、溝部１２１への凸部７２１の収容を解き、外ケース７に保持されたＬＥＤ照明ユニットＢ１を容易に取り外すことができる。また、ケーブル３Ａ，３Ｂを新たに再接続したＬＥＤ照明ユニットＢ１を外ケース７に保持させる場合は、一対の側板部７２の上面をそれぞれ左右の指で下方へ押圧し、溝部１２１に凸部７２１を収容すればよい。この結果、ＬＥＤ照明装置Ａ４の点灯による光の帯をより直線状にさせながらも、ＬＥＤ照明ユニットＢ１をより容易に再接続することができる。なお、本実施形態においては、外ケース７は、直線状である場合を例示したが、外ケース７の形状はこれに限定されず、円形等であってもよい。
【００６４】
＜第４実施形態  変形例＞
図２５は、ＬＥＤ照明装置Ａ４の変形例を示す断面図である。本変形例においては、ＬＥＤ照明装置Ａ４は、外カバー８を備える。外カバー８は、外ケース７に取り付けられており、複数のＬＥＤ照明ユニットＢ１をｚ方向上側から覆っている。外カバー８は、たとえばＬＥＤ照明ユニットＢ１からの光を拡散させつつ透過させる材質からなる。外カバー８のｘ方向寸法は、たとえば外ケース７と同じである。
【００６５】
外カバー８は、天板部８１および一対の側板部８２を有する。天板部８１は、複数のＬＥＤ照明ユニットＢ１に対してｚ方向上方に位置する部分である。図示された例においては、天板部８１は、ｚ方向上方に湾曲した湾曲板状である。なお、天板部８１の形状は特に限定されず、たとえば平板状や凹面状であってもよい。一対の側板部８２は、天板部８１のｙ方向両端からｚ方向下方に延出している。一対の側板部８２は、それぞれ凸部８２２を有する。凸部８２２は、側板部８２からｙ方向内方に突出しており、たとえば外カバー８のｘ方向全長に設けられている。
【００６６】
本変形例においては、外ケース７の一対の側板部７２のそれぞれに、溝部７２２が形成されている。溝部７２２は、側板部７２のｙ方向外面から凹んでおり、外ケース７のｘ方向全長にわたって形成されている。一対の溝部７２２には、一対の凸部８２２が嵌まり込む。これにより、外カバー８が外ケース７に対して取り付けられている。
【００６７】
本変形例によれば、複数のＬＥＤ照明ユニットＢ１からの光を、外カバー８によってさらに異なる態様で外部に出射することが可能である。これにより、たとえば、ＬＥＤ照明ユニットＢ１のカバー４が透明な材質からなる場合に、拡散させつつ透過させる材質からなる外カバー８を装着した状態と装着しない状態とを選択し、光を拡散させる使用態様と光を拡散させない使用態様とを適宜選択することができる。さらに、外カバー８の天板部８１は、ＬＥＤ２２から離れた位置に配置できるため、ＬＥＤ２２の発光点が視認されにくく、いわゆるツブツブ感が抑制された、より均一に拡散された照明が可能となる。
【００６８】
図２６および図２７は、本発明の第５実施形態に係るＬＥＤ照明装置を示している。図２６は、本実施形態のＬＥＤ照明装置Ａ５のＬＥＤ照明ユニットＢ５を示す分解斜視図であり、図２７は、ＬＥＤ照明装置Ａ５を示す断面図である。
【００６９】
本実施形態においては、ＬＥＤ照明ユニットＢ５の組み立てにおいて、封止部材６１を設ける工程を含む。図示された例においては、ケース１に光源部２を取り付けた後に、たとえばゲル状の封止部材６１をノズルＮｚを用いて塗布する。この塗布は、たとえば基板２１の周縁に沿って行う。これにより、ケース１の一対の側板部１２および一対の端板部１３の内側に封止部材６１が塗布される。次いで、ケース１にカバー４を取り付ける。この取付は、嵌合、接着、溶着等の様々な手法が用いられる。
【００７０】
図２７に示すように、カバー４の取り付けによって、ケース１とカバー４との境界を封止部材６１が覆う態様となることが好ましい。封止部材６１は、経時変化等によって硬化する樹脂材料であってもよいし、ゲル状の状態を維持するグリース等であってもよい。また、封止部材６１を塗布する領域は特に限定されず、ケース１およびカバー４の内側において、上述した境界の他、基板２１や電子部品２３等を覆う領域であってもよい。なお、封止部材６１が不透明な材質からなる場合、封止部材６１はＬＥＤ２２を覆わないことが好ましい。
【００７１】
本実施形態によれば、ＬＥＤ照明装置Ａ５の使用時等において、ケース１とカバー４との隙間から水分が内部に浸入することを封止部材６１によって抑制することが可能である。したがって、ＬＥＤ照明装置Ａ５の動作信頼性を高め、製品寿命の短縮を防止することができる。
【００７２】
本発明に係るＬＥＤ照明装置は、上述した実施形態に限定されるものではない。本発明に係るＬＥＤ照明装置の各部の具体的な構成は、種々に設計変更自在である。
【００７３】
本発明に係るＬＥＤ照明装置においては、上述の実施形態におけるｙ方向が第２方向に相当する構成であってもよい。すなわち、上述の実施形態において凸部１１２は、ｚ方向に突出しているが、凸部１１２がｙ方向に突出する構成であってもよい。
【符号の説明】
【００７４】
Ａ１，Ａ２，Ａ３，Ａ４，Ａ５：ＬＥＤ照明装置
Ｂ１，Ｂ２，Ｂ３，Ｂ５：ＬＥＤ照明ユニット
１        ：ケース
２        ：光源部
３Ａ，３Ｂ：ケーブル
４        ：カバー
５        ：磁力部材
７        ：外ケース
８        ：外カバー
１１      ：基部
１２      ：側板部
１３      ：端板部
２１      ：基板
２２      ：ＬＥＤ
２３      ：電子部品
２９      ：ネジ
３１Ａ，３１Ｂ：被収容部
３２Ａ，３２Ｂ：露出部
４１      ：天板部
４２      ：端板部
４３      ：突起
５１      ：凸部
６１      ：封止部材
７１      ：底板部
７２      ：側板部
８１      ：天板部
８２      ：側板部
１１１    ：延出部
１１２    ：凸部
１１３    ：ケーブル孔
１１４    ：ケーブル溝
１１６    ：凹部
１２１，１２２：溝部
２１１    ：主面
２１３    ：貫通孔
２９１    ：ワッシャ
３３１Ａ，３３１Ｂ：芯線
３３２Ａ，３３２Ｂ：被覆
４１１，４１２：レンズ部
７２１    ：凸部
７２２    ：溝部
８２２    ：凸部
Ｃｔ      ：カッタ
Ｌ        ：光
Ｌｒ      ：再接続長
Ｐ，Ｐ’  ：ピッチ
【図１】
2019121440.tif 000003
【図２】
2019121440.tif 000004
【図３】
2019121440.tif 000005
【図４】
2019121440.tif 000006
【図５】
2019121440.tif 000007
【図６】
2019121440.tif 000008
【図７】
2019121440.tif 000009
【図８】
2019121440.tif 000010
【図９】
2019121440.tif 000011
【図１０】
2019121440.tif 000012
【図１１】
2019121440.tif 000013
【図１２】
2019121440.tif 000014
【図１３】
2019121440.tif 000015
【図１４】
2019121440.tif 000016
【図１５】
2019121440.tif 000017
【図１６】
2019121440.tif 000018
【図１７】
2019121440.tif 000019
【図１８】
2019121440.tif 000020
【図１９】
2019121440.tif 000021
【図２０】
2019121440.tif 000022
【図２１】
2019121440.tif 000023
【図２２】
2019121440.tif 000024
【図２３】
2019121440.tif 000025
【図２４】
2019121440.tif 000026
【図２５】
2019121440.tif 000027
【図２６】
2019121440.tif 000028
【図２７】
2019121440.tif 000029